(57)【要約】【課題】導光板の列の一端に臨む位置にて拡散板の支持体に対する位置を決めることができ、拡散板と対向配置される表示部の支持体に対する位置を簡易に安定させることができる表示装置を提供する。【解決手段】一面の一縁側に出光面２３ｂを有し、他縁側に非出光面２３ｃを有する導光板２３における他面の一縁側と、隣合う導光板２３における非出光面２３ｃとを重ねて列に配し、該導光板２３の出光面２３ｂに対向し該出光面２３ｂから出光した光を拡散する拡散板３及び導光板２３を支持する支持体２４を備え、該支持板２４の一縁部に、導光板２３の列の一端に臨む位置にて拡散板３の周縁部一面に対向し、該拡散板３を支える受体５を取付けることにより、拡散板３を大型に形成することなく該拡散板３全周の支持体２４に対する位置を決めることができるようにした。【選択図】図２
2010113239.tif 000002
【特許請求の範囲】
【請求項１】
一側面から入光した光を一面から出光する複数の導光板、及び該導光板を支持する支持体を有し、前記導光板夫々における前記一面が列状をなすように配してある光源部と、前記導光板の一面に対向し、該一面から出光した光を拡散する拡散板と、該拡散板により拡散された光が入光される表示部とを備える表示装置であって、前記導光板の列の一端に臨む位置にて前記拡散板の周縁部一面に対向し、該拡散板を支える受体を前記支持体の縁部に設けてあることを特徴とする表示装置。
【請求項２】
前記受体は、前記拡散板の周縁部を収容する凹所を有する請求項１記載の表示装置。
【請求項３】
前記拡散板の周縁部一面には、前記受体の一部を収容する凹部を設けてある請求項１又は２記載の表示装置。
【請求項４】
前記受体は、前記縁部に固定される固定部と、該固定部から前記支持体の中央側へ延出された延出部とを有し、該延出部に、前記拡散板の周縁部一面に対向する受部を設けてある請求項１記載の表示装置。
【請求項５】
前記導光板は複数列に配してあり、前記受体は前記支持体における縁部に対応する長さである請求項１から４のいずれか一つに記載の表示装置。
【請求項６】
前記導光板の一面は、一縁側に出光面を有し、他縁側に非出光面を有し、隣合う導光板における非出光面と他面の一縁側とが重なっており、列の一端における導光板の非出光面と対向する位置に前記受体を配してある請求項１から５のいずれか一つに記載の表示装置。
【請求項７】
前記導光板夫々の他縁に対向する光源が実装され、前記支持体に取付けられている基板を有し、該基板に前記導光板夫々を保持してある請求項６記載の表示装置。
【請求項８】
前記支持体は、前記基板及び導光板を収容する収容凹部及び該収容凹部の周縁に連なり、前記拡散板の周縁部を支持する環板部を有し、該環板部に前記受体が取付けられている請求項７記載の表示装置。
【発明の詳細な説明】
【技術分野】
【０００１】
本発明は複数の導光板を備える表示装置に関する。
【背景技術】
【０００２】
液晶の表示装置は、液晶パネルの裏側に導光板を配し、該導光板の一側に光源を配してあるエッジライト型（例えば、特許文献１参照）と、液晶パネルの裏側に拡散板を配し、該拡散板の裏側に光源を配してある直下ライト型（例えば、特許文献２参照）とがある。
【０００３】
エッジライト型の表示装置は、比較的厚肉の一枚の合成樹脂板からなる導光板の一側面と対向する箇所に光源が配され、導光板の一側面から入光した光を一面の全面から出光するように構成されている。
【０００４】
直下ライト型の表示装置は、比較的厚肉の一枚の合成樹脂板からなる拡散板の裏側に、該拡散板の周縁部を支持する支持筐を配し、該支持筐内に、碁盤目のように並置される複数の光源が実装された基板を収容してあり、光源の夫々が発光した光を拡散板の全面で拡散するように構成されている。
【特許文献１】特開２００８−９３７４号公報
【特許文献２】特開２００８−１５２１０１号公報
【発明の開示】
【発明が解決しようとする課題】
【０００５】
ところで、テレビジョン等の表示装置は益々大型化されており、しかも、薄型にすることが要望されている。しかし、特許文献１のように構成されたエッジライト型の表示装置にあっては、大型化に伴って色むら、及び輝度むらが発生し易くなるため大型化に適応することは困難である。また、特許文献２のように構成された直下ライト型の表示装置にあっては、複数の光源と一枚の拡散板とを比較的離隔させる必要があるため薄型化に対応することは困難である。
【０００６】
図１３は先に開発された表示装置の構成を示す縦断側面図である。本発明の出願人は大型化された場合においてもより一層の薄型化を図るべく、図１３に示すように拡散板１０１及び複数の導光板１００を備える表示装置を先に開発した。この表示装置は、略四角形をなし、一面の一縁側を出光面１００ａとし、他縁側を非出光面１００ｂとしてある複数の導光板１００と、導光板１００夫々の出光面１００ａに対向し、該出光面１００ａから出光した光を拡散する拡散板１０１と、導光板１００夫々の他縁に対向する発光ダイオード１０２が実装されている基板１０３と、該基板１０３及び前記導光板１００を収容する収容凹部１０４ａを有する支持体１０４とを備え、隣合う導光板１００における非出光面１００ｂと出光面１００ａ側他面とを重ねて複数列に配してある。
【０００７】
ところで、先に開発された表示装置にあっては、列の一端に配されている導光板１００の非出光面１００ｂは光を出光しないので、この非出光面１００ｂと対向する箇所には拡散板１０１がなくともよい。因って、拡散板１０１は、前記非出光面１００ｂと対向する部分がなく、導光板１００夫々の出光面１００ａを総和した面積よりも若干広い面積を有する大きさに形成し、拡散板１０１の余分な部分をなくして拡散板１０１の小型化、及びコストの低減を図るのが好ましい。
【０００８】
しかし、このように構成した場合、略四角形をなす拡散板１０１の三つの縁部は支持体１０４における三つの縁部にて支持することができるが、導光板１００の列の一端に臨む一縁部は支持体１０４の縁部に支持することができず、支持体１０４に対して宙ぶらりんになるため、拡散板１０１と対向配置される表示部１０５の支持体１０４に対する位置が定まらず、改善策が要望されていた。
【０００９】
本発明は斯かる事情に鑑みてなされたものであり、主たる目的は一側面から入光した光を出光する一面を列状に配してある複数の導光板と、該導光板を支持する支持体及び拡散板とを備え、導光板の列の一端に臨む位置にて拡散板の周縁部一面に対向し、該拡散板を支える受体を支持体の縁部に取付けることにより、導光板の列の一端に臨む位置にて拡散板の支持体に対する位置を決めることができ、拡散板と対向配置される表示部の支持体に対する位置を簡易に安定させることができる表示装置を提供することにある。
【課題を解決するための手段】
【００１０】
本発明に係る表示装置は、一側面から入光した光を一面から出光する複数の導光板、及び該導光板を支持する支持体を有し、前記導光板夫々における前記一面が列状をなすように配してある光源部と、前記導光板の一面に対向し、該一面から出光した光を拡散する拡散板と、該拡散板により拡散された光が入光される表示部とを備える表示装置であって、前記導光板の列の一端に臨む位置にて前記拡散板の周縁部一面に対向し、該拡散板を支える受体を前記支持体の縁部に設けてあることを特徴とする。
【００１１】
この発明にあっては、導光板の列の一端に臨む位置にて拡散板の支持体に対する位置を決めることができるため、一側面から入光した光を出光する一面が列状をなすように配してある複数の導光板を備える表示装置において、拡散板と対向配置される表示部の支持体に対する位置を簡易に安定させることができる。
【００１２】
また、本発明に係る表示装置は、前記受体は、前記拡散板の周縁部を収容する凹所を有する構成とするのが好ましい。
この発明にあっては、拡散板の周面及び周縁部一面が凹所と対向し、拡散板の面方向への移動を凹所にて規制することができるため、拡散板の支持体に対する位置決めを容易にでき、拡散板の組込作業性を高めることができる。
【００１３】
また、本発明に係る表示装置は、前記拡散板の周縁部一面には、前記受体の一部を収容する凹部を設けてある構成とするのが好ましい。
この発明にあっては、受体の厚さをむやみに薄くすることなく拡散板を導光板に接近させることができるため、受体が支える箇所の拡散板の安定性を高めることができる。
【００１４】
また、本発明に係る表示装置は、前記受体は、前記縁部に固定される固定部と、該固定部から前記支持体の中央側へ延出された延出部とを有し、該延出部に、前記拡散板の周縁部一面に対向する受部を設けてある構成とするのが好ましい。
この発明にあっては、固定部を支持体の一縁部に固定することにより受部を適正位置に配することができるため、受体の取付け作業性を高めることができる。
【００１５】
また、本発明に係る表示装置は、前記導光板は複数列に配してあり、前記受体は前記支持体における縁部に対応する長さである構成とするのが好ましい。
この発明にあっては、複数列に配してある導光板に対応した大きさに形成されている拡散板の周縁部を一つの受体にて支えることができるため、支持体における一縁部を受体にて補強することができ、支持体の剛性を高めることができる。
【００１６】
また、本発明に係る表示装置は、前記導光板の一面は、一縁側に出光面を有し、他縁側に非出光面を有し、隣合う導光板における非出光面と他面の一縁側とが重なっており、列の一端における導光板の非出光面と対向する位置に前記受体を配してある構成とするのが好ましい。
この発明にあっては、隣合う導光板と重ならない非出光面と対向する位置に受体を配してあるため、導光板の重なり部の厚さ内で受体の厚さを比較的厚くすることができ、受体の剛性を高めることができる。
【００１７】
また、本発明に係る表示装置は、前記導光板夫々の他縁に対向する光源が実装され、前記支持体に取付けられている基板を有し、該基板に前記導光板夫々を保持してある構成とするのが好ましい。
この発明にあっては、列に配してある複数の導光板が基板に保持されているため、導光板の支持体への支持を簡易に行うことができる。
【００１８】
また、本発明に係る表示装置は、前記支持体は、前記基板及び導光板を収容する収容凹部及び該収容凹部の周縁に連なり、前記拡散板の周縁部を支持する環板部を有し、該環板部に前記受体が取付けられている構成とするのが好ましい。
この発明にあっては、支持体の環板部及び該環板部に取付けられている受体にて拡散板全周縁部の支持体に対する位置を決めることができるため、拡散板全周縁部の支持体に対する位置決めを簡易に行うことができる。
【発明の効果】
【００１９】
本発明によれば、導光板の列の一端に臨む位置にて拡散板の支持体に対する位置を決めることができるため、一側面から入光した光を出光する一面の一部を重ねて列状をなすように配してある複数の導光板を備える表示装置において、拡散板と対向配置される表示部の支持体に対する位置を簡易に安定させることができる。
【発明を実施するための最良の形態】
【００２０】
以下本発明をその実施の形態を示す図面に基づいて詳述する。
実施の形態１
図１及び図２は本発明に係る表示装置の構成を示す縦断側面図、図３は表示装置の構成を示す一部を省略した背面図である。
【００２１】
図示した表示装置は、テレビ画像を表示する表示面１ａを前側（表側）に有し、略直方体をなす表示部１と、該表示部１の後側（裏側）に配され、略直方体をなす光源部２と、該光源部２及び表示部１の間に配され、周縁部が光源部２に支持される拡散板３と、該拡散板３に積層される光学シート４と、表示部１の周縁部及び光源部２の後側を隠蔽するキャビネットと、光源部２の後面に取付けられ、起立状態で支持するスタンドとを備える液晶テレビジョン、換言すれば液晶表示装置である。
【００２２】
図４は光源部の構成を示す模式的分解図、図５は光源部の構成を示す模式的正面側斜視図、図６は光源部の構成を示す模式的断面図である。
光源部２は、碁盤目のように並置される光源としての複数の発光ダイオード２１と、該発光ダイオード２１を実装してあり、格子状に並置される複数の発光ダイオード基板２２と、隣合う発光ダイオード基板２２に両端が接続されるフレキシブルプリント基板と、該発光ダイオード基板２２に対応して格子状に並置され、発光ダイオード２１が発光した光を拡散板３の面方向へ導く複数の導光板２３と、該導光板２３及び発光ダイオード基板２２を収容支持する支持体２４とを備える。
【００２３】
発光ダイオード基板２２は略直方形をなし、一面に複数の発光ダイオード２１を長手方向及び幅方向に並べて実装してあり、支持体２４の後記する収容凹部内に取付けられている。
【００２４】
発光ダイオード２１は図４(a) に示すように前記長手方向に例えば８個、前記幅方向に例えば４個、合計で３２個実装してあり、発光ダイオード２１夫々に対応して３２個の導光板２３を配してあり、また、前記長手方向一列の発光ダイオード２１に対応して１枚の反射板２５、合計４枚の反射板２５を配してある。
【００２５】
１つの発光ダイオード基板２２と導光板２３との関係は図４(b) に示すように構成されており、図５に示すように支持体２４の前面に上下方向及び横方向に並べて配置されている。発光ダイオード基板２２には、該発光ダイオード基板２２を雄螺子にて支持体２４に取付けるための貫通孔と、導光板２３を止具２６にて発光ダイオード基板２２に取付けるための嵌合孔２２ａとが開設されている。また、発光ダイオード基板２２の発光ダイオード２１夫々に臨む部分には反射層２７がシルク印刷により形成されている。
【００２６】
並置された発光ダイオード基板２２において、前記長手方向一列の発光ダイオード基板２２は、隣合う２つ同士がフレキシブルプリント基板にて接続され、一端の発光ダイオード基板２２が後記する電源回路基板にフレキシブルプリント基板にて接続され、他端の発光ダイオード基板２２が後記する制御回路基板にフレキシブルプリント基板にて接続されている。
【００２７】
図７は導光板の構成を示す斜視図である。導光板２３は略直方体をなし、拡散板３と対向する一面に、一側の入光面２３ａに入光した光を入光面２３ａとほぼ直交する方向へ照射する出光面２３ｂ、及び該出光面２３ｂに連なる非出光面２３ｃを有し、他面に反射板２５が設けられており、発光ダイオード２１の一側と対向する位置に入光面２３ａを配してある。具体的には、長手方向一方側の一面が発光ダイオード基板２２と平行の扁平な出光面２３ｂ、長手方向他方側の一面が発光ダイオード基板２２に対して傾斜する非出光面２３ｃ、及び他面が発光ダイオード基板２２に対して傾斜する傾斜面２３ｄになっており、長手方向他方側の端部、換言すると非出光面２３ｃの端部に、四角形をなす収容孔２３ｅ及び嵌合孔２２ａに対応する貫通孔２３ｆが開設され、収容孔２３ｅの一面を入光面２３ａとしてあり、他面の傾斜面２３ｄに反射板２５が貼付けられている。
【００２８】
導光板２３は一面の傾斜する非出光面２３ｃと、隣合う導光板２３における出光面２３ｂ側の他面とを重ねて複数列に配され、導光板２３夫々の出光面２３ｂは発光ダイオード基板２２に対して等距離の面一となり、列の一端における導光板２３の非出光面２３ｃと対向する位置に受体５を配してある。複数列に配された導光板２３夫々は止具２６により発光ダイオード基板２２に固定される。
【００２９】
止具２６は、離隔して対向する二つのピン２６ａと、該ピン２６ａの一端を連結する連結板２６ｂとを有し、隣合う導光板２３の貫通孔２３ｆから嵌合孔２２ａへピン２６ａを嵌入することにより導光板２３を発光ダイオード基板２２に固定するように構成されている。
【００３０】
図８は表示装置の支持体、受体及び拡散板の構成を示す模式的分解斜視図、図９は光源部の構成を示す模式的正面図、図１０は光源部に拡散板を組み込んだ状態の構成を示す模式的正面図である。
支持体２４は金属板を四角形の浅皿状に成形してなり、発光ダイオード基板２２及び導光板２３を収容する収容凹部２４ａ及び該収容凹部２４ａの周縁に連なり拡散板３の周縁部を支持する環板部２４ｂとを有し、収容凹部２４ａ内に発光ダイオード基板２２が装着され、環板部２４ｂの上縁部及び両側縁部に拡散板３が載置され、該拡散板３の全周縁部に表示部１が載置される。
【００３１】
収容凹部２４ａは、発光ダイオード基板２２に保持されている導光板２３夫々の出光面２３ｂ部分の高さとほぼ等しい深さに形成され、環板部２４ｂの上縁部及び両側縁部にて支持する拡散板３の一面３ａと導光板２３夫々の出光面２３ｂとが接触するようになしてある。
【００３２】
支持体２４における環板部２４ｂの下縁部には、導光板２３の列の一端（下端）に臨む位置にて拡散板３の下縁部の一面３ａに対向し、該拡散板３を支える受体５を複数本の雄螺子６により取付けてある。また、環板部２４ｂの下縁部には長手方向に離隔して複数の取付孔２４ｃが開設されている。
【００３３】
受体５は、環板部２４ｂの下縁部に対向し、該下縁部に固定される帯板状の固定部５１と、該固定部５１の幅方向一縁から支持体２４の中央側へ延出され、収容凹部２４ａと対向する帯板状の延出部５２とを有し、固定部５１に複数の貫通孔５３が長手方向に離隔して開設されており、延出部５２の端縁部一面に、拡散板３の下縁部の一面３ａと対向する受部５４を有し、該拡散板３の下縁部を収容する凹所５５が設けられている。
【００３４】
収容凹部２４ａにおける後面の横方向一側部には、発光ダイオード基板２２のドライバに電圧を供給する電源回路基板７が取付けられており、横方向他側部には、前記ドライバを制御する制御回路基板８が取付けられている。また、収容凹部２４ａにおける後面の横方向中央部には表示部１に電圧を供給する電源回路基板９、表示部１の表示面１ａに表示される画像を処理する端子回路基板１０、表示部１を制御する制御回路基板２０等の複数の回路基板が取付けられている。
【００３５】
拡散板３は発光ダイオード２１が発光した光を拡散するもので、積層された比較的厚肉の二枚の拡散板分体３１，３２からなり、表示部１に対応して略直方形に形成されている。光学シート４と対向する第１の拡散板分体３１は、導光板２３と対向する第２の拡散板分体３２の上下長さよりも若干長く形成され、この長い部分が第２の拡散板分体３２の下縁よりも下方へ突出し、第１及び第２の拡散板分体３１，３２の下縁間に、受体５の受部５４を収容する凹部３３が設けられている。
【００３６】
光学シート４は、光源部２が発光した光を拡散する反射偏光シート、プリズムシート、拡散シート等の比較的薄肉で、透光性及び可撓性を有する合成樹脂シートからなり、表示部１に対応して略直方形に形成されている。光学シート４は拡散板３よりも小型に形成され、拡散板３の周面よりも中央側に配してある。
【００３７】
図１１は表示部の構成を示す背面図である。表示部１は、略直方体をなし、前後側に偏光板が貼着されている表示パネル１１と、該表示パネル１１の周縁部を前後で挾持して保持する前保持枠体１２及び後保持枠体１３とを有する。
【００３８】
前保持枠体１２は、表示パネル１１の周縁部前面に対向する矩形の環板部１２ａ及び環板部１２ａの外縁から後方へ延出されている枠部１２ｂを有し、金属板を成形してなる。環板部１２ａの内縁側に、表示パネル１１の周縁部を弾性的に支える帯状の弾性体１４が貼着されている。
【００３９】
後保持枠体１３は、断面四角形をなす基環部１３ａと、該基環部１３ａの内面から内向きに突出し、表示パネル１１の周縁部後面及び拡散板３の周縁部他面３ｂに対向する環板部１３ｂとを有し、合成樹脂材を成形してなる。環板部１３ｂの内側は光学シート２を収容する収容部１３ｃになっている。
【００４０】
環板部１３ｂの表示パネル１１と対向する面には表示パネル１１の周縁部を弾性的に支える帯状の弾性体１５が貼着されている。また、前保持枠体１２及び後保持枠体１３は、環板部１２ａ及び基環部１３ａに開設された貫通孔に挿入される雄螺子にて結合され、表示パネル１１が挾着保持されている。また、環板部１２ａ及び基環部１３ａには取付孔が開設されており、該取付孔に挿入される雄螺子にて支持体２４の環板部２４ｂに表示部１が取付けられている。
【００４１】
キャビネットは、表示部１の周縁部前側及び周縁部外周りを隠蔽する枠状のキャビネット前分体と、光源部２の後側を隠蔽するキャビネット後分体とを備える。
【００４２】
以上のように構成された表示装置の組立ては例えば次の(1) 〜(7) の工程で行う。
(1) 作業台上に前面を上向にして平置きされた支持体２４の収容凹部２４ａ内に発光ダイオード基板２２が上下方向及び横方向に並べて組込まれ、該発光ダイオード基板２２夫々に導光板２３が上下方向及び横方向に並べて組込まれる。この場合、導光板２３夫々における出光面２３ｂは環板部２４ｂとほぼ等しい高さとなる。最下部に配されている導光板２３の非出光面２３ｃには他の導光板２３が重ねられていない。
(2) 支持体２４における環板部２４ｂの下縁部に受体５の固定部５１が載置され、該固定部５１の貫通孔５３に挿入する雄螺子６を取付孔２４ｃに捩じ込むことにより受体５が固定される。この受体５は環板部２４ｂにおける下縁部の全長に亘って配され、最下部に配されている導光板２３の非出光面２３ｃと対向する。
(3) 支持体２４における環板部２４ｂに拡散板３が載置される。この際、拡散板３の上縁部及び両側縁部が環板部２４ｂと接触して前後方向の位置が決められ、拡散板３の下縁部が受体５の受部５４と接触して前後方向の位置が決められ、拡散板３は全周に亘って支持体２４に対する前後方向の位置が決められる。 
(4) 拡散板３上に光学シート４が積層される（図１参照）。
(5) 別の作業台上に搬送された後、表示部１の後保持枠体１３を下向きにした状態で支持体２４における環板部２４ｂに表示部１が載置される。
(6) 前保持枠体１２及び後保持枠体１３に開設されている取付孔に挿入される雄螺子を、支持体２４の環板部２４ｂに開設されている取付孔に捩じ込むことにより表示部１が支持体２４に装着される。この最、後保持枠体１３の環板部１３ｂが拡散板３の周縁部他面３ｂに接触し、拡散板３は環板部２４ｂに固定される。
(7) スタンドにより表示部１及び光源部２が作業台上に起立された後、表示部１の前側にキャビネット前分体が被嵌され、光源部２の後側にキャビネット後分体が被嵌される。
【００４３】
以上のように導光板２３における一面の非出光面２３ｃと、隣合う導光板２３における出光面側他面とを重ねて複数列に配されている光源部２の、列の下端に臨む位置にて拡散板３の下縁部一面に対向し、該拡散板３を支える受体５を支持体２４に取付けてあるため、拡散板３における下縁部の支持体２４に対する前後方向の位置を決めることができ、拡散板３と対向配置される表示部１の支持体２４に対する前後位置を安定させることができる。しかも、受体５は環板部２４ｂの下縁部に沿って帯板状をなし、環板部２４ｂを補強しているため、支持体２４の剛性を高めることができる。
【００４４】
実施の形態２
図１２は本発明に係る表示装置の他の構成を示す縦断側面図である。
この表示装置は、積層された第１及び第２の拡散板分体３１，３２が拡散板３を構成し、帯板状をなす受体５が拡散板３の下縁部を支える構成とする代わりに、略直方形をなす一枚の拡散板３の下縁部一面に、該下縁部の長手方向に離隔して複数の凹部３３ａを設けてあり、該凹部３３ａに収容される複数の受体５ａを、支持体２４における環板部２４ｂの下縁部に取付けてある構成としたものである。
【００４５】
拡散板３の凹部３３ａは例えば研削加工により形成されている。受体５ａは、環板部２４ｂの下縁部に対向し、該下縁部に固定される固定部５１ａと、該固定部５１ａから支持体２４の中央側へ延出され、収容凹部２４ａと対向する延出部５２ａとを有し、固定部５１ａに貫通孔５３ａが開設されており、延出部５２ａの端縁部一面に、拡散板３の下縁部の一面３ａと対向する受部５４ａを有し、該拡散板３の下縁部を収容する凹所５５ａが設けられている。
【００４６】
この実施の形態にあっては、一枚の拡散板３を備えるため、拡散板３の組込作業性を高めることができ、また、複数箇所に凹部３３ａが設けられているため、凹部３３ａの加工性を高めることができる。尚、実施の形態１のように複数の拡散板分体３１，３２を有する構成とするのは、拡散板３の厚さが厚くなる程、拡散板３の製作が難しくなるためであり、表示装置の機種に対応して拡散板３が選定される。
【００４７】
尚、以上説明した実施の形態では、上下に列をなして並置された複数の導光板２３を備える構成としたが、その他、導光板２３は横方向に列をなして並置される構成としてもよく、導光板２３の列をなす方向は特に制限されない。
【００４８】
また、以上説明した実施の形態では、上下に列をなして並置された複数の導光板２３の下端に臨む位置にて拡散板３の下縁部を受体５が支える構成としたが、その他、受体５の取付位置は、導光板２３の列の方向に対応して取付けられる位置であればよい。
【００４９】
また、以上説明した実施の形態では、複数の導光板２３を複数列に配した構成としたが、その他、一枚の導光板２３の横幅を広くし、導光板２３が一列に配された構成としてもよい。
【００５０】
また、以上説明した実施の形態では、支持体２４における環板部２４ｂの下縁部に受体５を取付けてある構成としたが、その他、受体５は例えば溶接等により支持体２４と一体になっている構成であってもよい。
【００５１】
また、以上説明した実施の形態１では、積層された第１及び第２の拡散板分体３１，３２が拡散板３を構成し、帯板状をなす受体５が拡散板３の下縁部を支える構成とし、実施の形態２では、一枚の拡散板３の下縁部に複数の凹部３３ａを設け、複数の受体５ａを備える構成としたが、その他、実施の形態１は前記受体５ａを複数有する構成としてもよいし、また、実施の形態２は拡散板３の下縁部全長に亘って前記凹部３３ａを設けてあり、帯板状の前記受体５を有する構成としてもよい。
【図面の簡単な説明】
【００５２】
【図１】本発明に係る表示装置の構成を示す縦断側面図である。
【図２】本発明に係る表示装置の構成を示す縦断側面図である。
【図３】本発明に係る表示装置の構成を示す一部を省略した背面図である。
【図４】本発明に係る表示装置の光源部の構成を示す模式的分解図である。
【図５】本発明に係る表示装置の光源部の構成を示す模式的正面側斜視図である。
【図６】本発明に係る表示装置の光源部の構成を示す模式的断面図である。
【図７】本発明に係る表示装置の導光板の構成を示す斜視図である。
【図８】本発明に係る表示装置の支持体、受体及び拡散板の構成を示す模式的分解斜視図である。
【図９】本発明に係る表示装置の光源部の構成を示す模式的正面図である。
【図１０】本発明に係る表示装置の光源部に拡散板を組み込んだ状態の構成を示す模式的正面図である。
【図１１】本発明に係る表示装置の表示部の構成を示す背面図である。
【図１２】本発明に係る表示装置の他の構成を示す縦断側面図である。
【図１３】先に開発された表示装置の構成を示す縦断側面図である。
【符号の説明】
【００５３】
２    光源部
２１  発光ダイオード（光源）
２２  発光ダイオード基板（基板）
２３  導光板
２３ｂ  出光面
２３ｃ  非出光面
２４  支持体
２４ａ  収容凹部
２４ｂ  環板部
３    拡散板
３３，３３ａ  凹部
５    受体
５１  固定部
５２  延出部
５４  受部
５５  凹所
【図１】
2010113239.tif 000003
【図２】
2010113239.tif 000004
【図３】
2010113239.tif 000005
【図４】
2010113239.tif 000006
【図５】
2010113239.tif 000007
【図６】
2010113239.tif 000008
【図７】
2010113239.tif 000009
【図８】
2010113239.tif 000010
【図９】
2010113239.tif 000011
【図１０】
2010113239.tif 000012
【図１１】
2010113239.tif 000013
【図１２】
2010113239.tif 000014
【図１３】
2010113239.tif 000015